(57)【要約】      （修正有）【課題】直管型ＬＥＤ照明の電源装置を既設の天井取付け用照明の内部に容易に取付けることができる電源装置の固定部材を提供する。【解決手段】主に天井に取付けるＬＥＤ照明において、電源装置の筐体４０と照明器具の電源取付け部を吸着固定する磁石４４と、磁石４４を少なくとも吸着面４４ａを残して包囲するヨーク４３により構成される。【選択図】図２
2014078368.tif 000002
【特許請求の範囲】
【請求項１】
主に天井に天井に取付けるＬＥＤ照明において、
電源装置の筐体と照明器具の電源取付け部を吸着固定する磁石と、
前記磁石を少なくとも吸着面を残して包囲するヨークとからなることを特徴とする電源装置の固定部材。
【請求項２】
前記ヨークは、非磁性材料で形成された発泡体をベースとする両面テープによって、前記電源取付け部に固定されていることを特徴とする請求項１に記載の電源装置の固定部材。
【請求項３】
前記両面テープによって、前記ヨークと前記電源取付け部との間に空間を設けることで、前記磁石から発生する磁束の前記筐体内部への浸透を低減させることを特徴とする請求項１から２に記載の電源装置の固定部材。
【発明の詳細な説明】
【技術分野】
【０００１】
本発明は、主に天井に設置される直管型ＬＥＤ照明器具の内部に、直管型ＬＥＤランプを点灯するための電源装置を固定する構造に関するものである。
【背景技術】
【０００２】
天井取付け用の照明器具の典型的な取付け方法は、次の通りである。照明器具の長手方向に所定の間隔を設けて天井から突出した二本の取付けボルトを、照明器具の本体に設けた取付けボルトの位置に対応して設けられた二つの取付け用穴に貫通させ、座金を嵌めた後ナットを締め付けて固定する。天井取付け用の照明器具が、光源として蛍光ランプを使用している場合、蛍光ランプを点灯させるために安定器が必要である。この安定器には両端に取付け用のねじ穴が設けられ、このねじ穴に、照明器具の上述の天井へ取付けるための取付け穴を設けた平面上に、安定器の両端の取付け用のねじ穴に対応して設けた一対の台座が設けられている。安定器の両端のねじ穴と一致の台座のねじ穴をを一致させ、ナットが不要なタッピングねじ等を使用して、安定器を照明器具へ固定している。安定器の取付け用の台座は、取付け用のタッピングねじを締め付けたとき照明器具に接触しないように立ち上がりの高さがタッピングねじの長さよりも高くなっている。
【０００３】
特許第３６１５６６９号広報に記載の蛍光灯用インバータ装置（以下「従来例１」という。）は、当該広報の図２に示すようにシャーシ１に設けた弾性舌片１ａ、１ｃのそれぞれの係止用矩形孔１ｂ、１ｄを備えている。吸着部材１０を構成するヨーク３に設けた一対の突出片３ａが、係止用矩形孔１ｂ、１ｄに遊嵌されシャーシ１に吸着部材１０が取付けられている。
【０００４】
一方、天井取付け用の照明器具の光源を蛍光ランプから直管型ＬＥＤランプに交換する場合、照明器具の両端に固定された電源供給用のソケットと安定器との間の配線と、天井から安定器まで延出している交流電源の配線を切り、照明器具から安定器を電気的に切り離さなければならない。また、直管型ＬＥＤランプを点灯させるための電源装置が必要で、天井から延出している交流電源の配線を電源装置の入力側に接続し、電源装置の出力側から電源供給用ソケットに配線しなければならない。
【先行技術文献】
【特許文献】
【０００５】
【特許文献１】特許第３６１５６６９号
【発明の概要】
【発明が解決しようとする課題】
【０００６】
天井取付け用の照明器具の光源を蛍光ランプから直管型ＬＥＤランプに変更する場合、直管型ＬＥＤランプを点灯させるための電源装置が必要である。また、該電源装置を照明器具に取付ける際、該電源装置の取付け用の台座が設けられていないため、該電源装置に取付け用の取付け穴が設けられ、照明器具の取付け部に下穴を設けたとしても、該取付け穴を利用してタッピングねじで取付けた場合、天井面にもタッピングねじが到達し天井を損傷させてしまうことになる。
【０００７】
従来例１においては、弾性舌片１ａ、１ｃの少なくとも一方が外側に倒れたり、突出片３ａの少なくとも一方の突出量が足りなかったりした場合、遊嵌される吸着部材１０が外れる可能性がある。
【０００８】
既設の天井取付け用の照明器具は全て天井に取付けられており、足場を組んだり大型の脚立を使っての作業となり、しかも全てが下から上面に向かっての悪条件の作業となる。
【０００９】
本発明は、このような点に鑑みなされたもので、直管型ＬＥＤ照明の電源装置を既設の天井取付け用照明の内部に容易に取付けることができる電源装置の固定部材を提供することを目的とする。
【課題を解決するための手段】
【００１０】
請求項１の発明にあたっては、主に天井に天井に取付けるＬＥＤ照明において、電源装置の筐体と照明器具の電源取付け部を吸着固定する磁石と、前記磁石を少なくとも吸着面を残して包囲するヨークとからなることを特徴とする。
【００１１】
請求項２の発明にあたっては、前記ヨークは、非磁性材料で形成された発泡体をベースとする両面テープによって、前記電源取付け部に固定されていることを特徴とする。
【００１２】
請求項３の発明にあたっては、前記両面テープによって、前記ヨークと前記電源取付け部との間に空間を設けることで、前記磁石から発生する磁束の前記筐体内部への浸透を低減させることを特徴とする。
【発明の効果】
【００１３】
本発明に係る直管ＬＥＤランプ用の電源装置は、両端部分中央に磁石を組込んだ磁石を備えているので、悪条件の中での取付け用の穴あけ作業が不要で、取付け作業が容易で安全になる。また、不用意に照明器具から外れてしまうことを防止できる。
【図面の簡単な説明】
【００１４】
【図１】天井取付け用照明器具の外観斜視図である。
【図２】（ａ）は実施形態に用いる電源装置の固定部の構造説明図、（ｂ）は外観斜視図である。
【図３】（ａ）は実施形態に用いる電源装置を取付けた場合の正面断面図、（ｂ）は側面断面図である。
【図４】実施形態に用いるヨークについての説明図である。
【発明を実施するための形態】
【００１５】
以下に本発明の実施の形態に係る電源装置を固定する構造について、図面を参照しながら説明する。なお、以下に示す実施例は本発明の電源装置を固定する構造における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００１６】
天井取付け用照明器具１００は図１に示す通り、直管型ＬＥＤランプ２０を装着するためのソケット３０、３０を照明器具１０の両端に備えている。また、照明器具１０の内部には、電源装置（図示しない）を備えている。
【００１７】
図２（ａ）に示す通り、電源装置の筐体４０の吸着部材固定面４０ａにヨーク４３をポリウレタン製等の発泡体を基材とした両面テープを使用して固定する。その後、磁石４４をヨーク４３に吸着固定させる。なお、磁石４４をヨーク４３に固定する際は接着剤で使用することで、より確実な固定ができる。図２（ｂ）は、ヨーク４３に固定した磁石４４を両面テープ４５によって、電源装置の筐体４０に固定した状態の外観斜視図である。
【００１８】
磁石４４の材料として、安価である程度磁力が強く安定しているフェライト磁石が適している。フェライト磁石は、硬度が高いので吸着する相手面の凹凸になじみにくい。そこで、ヨーク４３を固定するための手段として用いる発泡体を基材とした両面テープ４５が、吸着する相手面の凹凸を吸収し、電源装置の筐体４０を吸着する相手面に安定的に吸着できるようにしている。
【００１９】
照明器具１は継続して使用するが、直管型蛍光ランプを直管型ＬＥＤランプ２０に変更する場合、図３（ａ）に示す通り、これまで使用していた直管型蛍光ランプの安定器６０は直管型ＬＥＤランプ２０には使用しないので配線は切断し、取付け用タッピングねじ６１、６１による安定器６０の両端を固定されたまま残しておく。照明器具１０の内部には安定器６０以外には他の電気器材が収納されていないので、その使用されていない空間に直管型ＬＥＤランプ２０を駆動する電源装置の筐体４０を設置する。図３（ｂ）に示す通り、電源装置の筐体４０は吸着部材固定面４０ａに固定した磁石４４の吸着面４４ａを、照明器具本体１１内面の非吸着面１１ａに吸着させ電源装置の筐体４０を固定する。
【００２０】
磁石４４から漏れた磁束は、図４に矢印で示すようにヨーク４３の両端から内部に浸透し、ヨーク４３の外部には漏れないため、磁石４４からの磁束が電源装置の筐体４０に収納される電源回路基板（図示せず）に影響を及ぼすことはない。ヨーク４３の材料としては、透磁率や残留磁気特性などの電磁気的特性の良く、安価で加工しやすいＳＳ４００などの鉄材が好適である。
【符号の説明】
【００２１】
１０                        照明器具
１１                        照明器具本体
１２                        照明器具蓋
１１ａ                      被吸着面
１３                        安定器取付け台座
２０                        直管型ＬＥＤランプ
３０                        ソケット
４０                        電源装置の筐体
４０ａ                      吸着部材固定面
４３                        ヨーク
４４                        磁石
４４ａ                      吸着面
４５                        両面テープ
５０                        天井
５１                        取付けボルト
５２                        取付け座金
５３                        取付けナット
６０                        安定器
６１                        取付け用タッピングねじ
１００                      天井取付け用照明器具
【図１】
2014078368.tif 000003
【図２】
2014078368.tif 000004
【図３】
2014078368.tif 000005
【図４】
2014078368.tif 000006